(57)【要約】  【課題】  アクチュエータのトラッキング感度の向上を図ること。  【解決手段】  アクトベース上で、トラッキング方向に直交する方向に対向する一対のバックヨーク４の互いの対向面に板状の永久磁石５が固着されており、その対向永久磁石５の間の対物レンズホルダ２の外周面に巻き回されたフォーカスコイル６の永久磁石５に対面する各面に二つのトラッキングコイル７が固着され、対物レンズホルダ２内にレンズ１の光軸を挟んでトラッキング方向に対向する一対のインナヨーク３を備えたアクチュエータの、バックヨーク４の背面に断面コ字状の板体８を接着し、そのコ字の端部８ａが無効辺７ｂの近傍に位置するようにし、有効辺７ａを貫いてインナヨーク３に向かう永久磁石５の磁力線の一部がトラッキングコイル７の無効辺７ｂをも貫くようにする。【選択図】      図１
2006179085.tif 000002
【特許請求の範囲】
【請求項１】
板面をトラッキング方向に直交する方向に対向させた一対のバックヨークがアクトベー
ス上に立設されており、そのバックヨークの互いの対向面に板状の永久磁石が固着されて
おり、その対向する永久磁石の間に、対物レンズを擁した対物レンズホルダがフォーカス
方向とトラッキング方向に移動可能に設置されており、その移動を駆動する電磁回路の構
成要素として、前記バックヨークと永久磁石に加えて、前記対物レンズホルダの外周面に
、対物レンズの光軸周りに巻き回されたフォーカスコイルと、そのフォーカスコイルの前
記永久磁石に対面する二つの面のそれぞれに、その面の垂直中心軸を対称に固着された二
つのトラッキングコイルと、前記対物レンズホルダ内で対物レンズの光軸を挟んでトラッ
キング方向に対向してアクトベース上に立設された一対のチルト用ヨークと、それに巻き
回されたチルト用コイルとを備えた光ピックアップのアクチュエータにおいて、
前記バックヨークの両側縁から前記トラッキングコイルの無効辺の方に向かう延設部を
設けて、前記永久磁石の磁力線の前記トラッキングコイルの有効辺を貫いて前記チルトヨ
ークに向かう成分の一部が前記トラッキングコイルの無効辺をも貫くようにしたことを特
徴とする光ピックアップのアクチュエータ。
【請求項２】
請求項１に記載のアクチュエータを備えた光ピックアップ。
【請求項３】
請求項２に記載の光ピックアップを備えた光ディスク装置。
【発明の詳細な説明】
【技術分野】
【０００１】
この発明は光ディスクに対し、情報の書き込みや読み出しを行う光ピックアップに係り
、詳しくはその構成中、光学素子である対物レンズを擁した対物レンズホルダを互いに直
交するフォーカス方向(垂直方向)とトラッキング方向(水平方向)に駆動するアクチュエー
タのトラッキング動作の感度を高めるための構造の改良に関する。
【背景技術】
【０００２】
上記光ピックアップのアクチュエータでは、前記したように、対物レンズを擁した対物
レンズホルダを、フォーカス方向とトラッキング方向に駆動するが、正確な情報の読み出
しや書き込みを行うには、対物レンズで集束された光スポットを光学記録媒体の信号トラ
ックに正確に位置させる必要がある。
【０００３】
そのため、その光ピックアップのアクチュエータとしては、従来から記録密度やアクセ
ス速度の向上等を図ることを目的として、前記対物レンズホルダの駆動感度を高めようと
する様々な提案がなされている(公知文献１)。
【０００４】
そのようなアクチュエータの基本的な構成の一例を、図２に分解斜視図で示す。このア
クチュエータは、そのベースであるアクトベース１０の上に以下の様々な構成要素が組み
つけられ、光ピックアップの基台２０の上に搭載されるものであり、その構成要素として
、先ず、光ディスクに対する情報の読み出しや書き込みを行うための光学系を備えている
。
【０００５】
その光学系は、レーザダイオード等の光源１１と、その光源１１からの出射光を通過さ
せて平行光にするコリメータレンズ１２と、そのコリメータレンズ１２を通過した平行光
を集束して光ディスクに照射する先述の対物レンズ１および、その対物レンズ１を保持し
てフォーカス方向とトラッキング方向に移動可能となった対物レンズホルダ２とを備えて
いる。
【０００６】
通常、前記光学系の内、光源１１とコリメータレンズ１２とは、光ピックアップの基台
２０に搭載され、アクトベース１０の上に搭載されるのは、前記対物レンズ１を擁した対
物レンズホルダ２である。
【０００７】
このアクトベース１０の上には、その対物レンズホルダ２以外に、対物レンズホルダ２
をフォーカス方向とトラッキング方向に移動させる移動機構が搭載されている。その移動
機構を駆動するのは電磁回路であって、アクトベース１０の表面からは、チルト用のヨー
ク３とバックヨーク４が立ち上がっている。
【０００８】
チルト用ヨーク３は図のｘ軸方向に対応するトラッキング方向に対向しており、それぞ
れにチルト用コイル３ｃが巻き回される。このチルト用ヨーク３はインナヨークともいわ
れる。
【０００９】
また、アクトベース１０上には、そのチルト用ヨーク３の対向方向（トラッキング方向
）に直交する方向(図のｙ軸方向)に、そのチルト用ヨーク３を挟む形で、対称の位置に、
一対のバックヨーク４が対向配置される。各バックヨーク４の対向面には互いに対を成す
直方体の永久磁石５が接着材で接着される。その対向する永久磁石５の間に前記対物レン
ズホルダ２が配設される。
【００１０】
対物レンズホルダ２は直方体の長手方向の中央で両側より一段高くなった部分を有し、
その部分が対物レンズ１を保持するレンズ保持部１ａとなっている。対物レンズ１は、そ
のレンズ保持部１ａの上面に取り付けられる。
【００１１】
レンズ保持部１ａの両側は矩形の枠１ｂとなっており、対物レンズホルダ２をアクトベ
ース１０上の所定の位置に配置すると、その枠１ｂの内側に前記チルト用ヨーク(インナ
ヨーク)３が立ち上がるような形となっている。
【００１２】
その対物レンズホルダ２の前記レンズ保持部１ａと両側の枠１ｂの周面を取り巻いてフ
ォーカス用コイル６が巻き回され、そのフォーカスコイル６の外周面にコイル面が矩形の
トラッキングコイル７が固着される。なお、符号ｗを付したものは、対物レンズホルダ２
を支持するサスペンションワイヤである。以上がアクチュエータの構成である。
【００１３】
次に、上記のような部品構成のアクチュエータの前記対物レンズホルダ２をトラッキン
グ方向に移動させるための電磁回路について説明する。図３は上記分解斜視図で示した光
ピックアップの構成の内、アクチュエータの部分を抜き出して、その組図を（ａ）に平面
図で示し、（ｂ）に側面図で示したものである。
【００１４】
（ａ）に示すように、対物レンズホルダ２を図の上下方向に挟んで一対のバックヨーク
４が対向している。そのバックヨーク４の対向面のそれぞれに永久磁石５が取り付けられ
ている。図の左右方向がトラッキング方向である。
【００１５】
対物レンズホルダ２の外周面にはフォーカスコイル６が巻き回されており、そのフォー
カスコイル６の永久磁石５に対面する二つの面のそれぞれにトラッキングコイル７が接着
材で固着されている。トラッキングコイル７は全部で四つである。
【００１６】
トラッキングコイル７は、フォーカスコイル６の長方形の面の垂直中心軸を対称軸とし
て、左右対称の位置に固着されているが、各トラッキングコイル７において、縦方向の辺
の一方がフォーカスコイル６の面からその外側にはみ出した形で取り付けられている。そ
のはみ出した辺は、トラッキング方向に直交する方向では永久磁石５とは対面しないよう
な形になっている。
【００１７】
先述したように、対物レンズホルダ２の中央がレンズ保持部１ａで、その上面に取り付
けプレート１ｐを介して対物レンズ１が取り付けられている。そのレンズホルダ２に一体
化されている両隣の矩形の枠１ｂにはアクトベース１０から立ち上がってきているチルト
用ヨーク３の上端が覗いている。以上がアクチュエータの構成である。
【００１８】
次に、図４を参照して、上記アクチュエータの電磁回路の作用について説明する。図４
はその電磁回路の作用を示すため、図３（ａ）に平面図で示したものの中から、必要最小
限の部品だけを抜き出して模式的に示したものである。図中、太い矢印は磁力線を示す。
【００１９】
図４に示すように、四つの各トラッキングコイル７において、永久磁石５から生起され
る磁力線を受けてトラッキング動作に供する電磁力の発生する有効辺は符号７ａを付した
ものだけである。前記したように、その有効辺７ａに対向する辺の位置はフォーカスコイ
ル６の外側にはみ出して、磁石面と対面しないような位置、すなわち、磁力線が行き届か
ないような位置になっており、トラッキング動作を担う電磁力の発生しない無効辺７ｂと
なっている。
【００２０】
また、上下（紙面に垂直な方向）に対向する一組の辺は、それぞれの一部が磁石面に対
面していて磁石５から生起される磁力線を受けることになるが、それによって発生する電
磁力は、上側の辺で上向き（紙面の背後から手前に向かう向き）に、下側の辺で下向き（
紙面の手前から背後に向かう向き）に、同じ大きさの力が作用して釣り合い、トラッキン
グ方向(水平方向、図の左右方向)には作用しないようになっている。
【特許文献１】特開２００４−１３９６８０号公報（第５図、第６図）
【発明の開示】
【発明が解決しようとする課題】
【００２１】
以上が従来の電磁回路の構成と、その下での電磁力の作用の様子であるが、上記構成の
アクチュエータの各トラッキングコイル７において、トラッキング方向に電磁力が作用す
る有効辺７ａは、四辺の内、一辺だけである。すなわち、四つの全トラッキングコイル７
についても、四辺だけがトラッキング方向に電磁力を発生させることのできる有効辺７ａ
である。このことは、実に非効率なことである。
【００２２】
そこで、この発明の課題は、上記のような無駄の多い電磁回路に簡単な構成の改良を加
えて、トラッキングコイルに効果的に電磁力を生じせしめて、光ピックアップのアクチュ
エータのトラッキング感度の向上を図ることにある。
【課題を解決するための手段】
【００２３】
上記目的を達成するため、本発明は、板面をトラッキング方向に直交する方向に対向さ
せた一対のバックヨークがアクトベース上に立設されており、そのバックヨークの互いの
対向面に板状の永久磁石が固着されており、その対向する永久磁石の間に、対物レンズを
擁した対物レンズホルダがフォーカス方向とトラッキング方向に移動可能に設置されてお
り、その移動を駆動する電磁回路の構成要素として、前記バックヨークと永久磁石に加え
て、前記対物レンズホルダの外周面に、対物レンズの光軸周りに巻き回されたフォーカス
コイルと、そのフォーカスコイルの前記永久磁石に対面する二つの面のそれぞれに、その
面の垂直中心軸を対称に固着された二つのトラッキングコイルと、前記対物レンズホルダ
内で対物レンズの光軸を挟んでトラッキング方向に対向してアクトベース上に立設された
一対のチルト用ヨークと、それに巻き回されたチルト用コイルとを備えた光ピックアップ
のアクチュエータにおいて、
前記バックヨークの両側縁から前記トラッキングコイルの無効辺の方に向かう延設部を
設けて、前記永久磁石の磁力線の前記トラッキングコイルの有効辺を貫いて前記チルトヨ
ークに向かう成分の一部が前記トラッキングコイルの無効辺をも貫くようにしたのである
。
【発明の効果】
【００２４】
この発明は、上記のように構成したので、トラッキングコイルの有効辺に作用する電磁
力（ローレンツ力）と同じ向きの力が無効辺にも作用し、有効辺に作用する力だけをトラ
ッキング動作の駆動力にしていた従来のアクチュエータに比べて、トラッキング感度が格
段に向上する。
【００２５】
このトラッキング感度が向上するということは、例えば、光ディスク装置の一つである
ＤＶＤレコーダを例にとって述べると、それに内蔵されたハードディスクと光ディスクと
の間で相互にダヴィングを行う際のダヴィングの高速化を実現する、といった結果をもた
らすことになる。
【発明を実施するための最良の形態】
【００２６】
以下、この発明の実施の形態を説明する。図１は、本発明の主眼となる構成を、その作
用を簡潔に説明するために、その最低限の構成要素だけを抜き出して模式的に描いたもの
である。（ａ）が平面図で、（ｂ）が側面図である。以下、この図１を参照して、本発明
の実施形態を説明する。従来と同じ構成要素については同じ符号を付して、その説明は省
略する。
【００２７】
図１は、前出の従来例の図４のように、アクチュエータの中から磁石５とトラッキング
コイル７とインナヨーク(チルト用ヨーク)３だけを抜き出して描いたもので、図４と異な
るのは永久磁石５の背面のバックヨーク４の部分だけである。各トラッキングコイル７を
流れる電流の向きは、図に示すような向きになっている。
【００２８】
図１に示すように、本実施形態のアクチュエータは、両バックヨーク４の背面に、断面
コ字状の板体８を接着材で固着している。この板体８のコ字の端部８ａは殆どトラッキン
グコイル７のコイル面の手前近傍の位置にまで達している。
【００２９】
この板体８はバックヨーク４に固着されているので、ヨークの機能を有し、前記バック
ヨーク４が永久磁石５のＳ極側に固着されていて、板体８の固着面の極性はＮとなるので
、その板体８の前記コ字の端部８ａの極性はＳとなる。つまり、トラッキングコイル７の
無効辺７ｂの近傍に極性Ｓのヨークが存在していることになる。以上が本発明の主眼を説
明するための、実施形態のアクチュエータの根幹を成す構成である。次に、その作用（動
作)について、図１（ａ）を参照して説明する。
【００３０】
今述べたように、トラッキングコイル７の無効辺７ｂの近傍にはＳの極性を有した板体
８のコ字の端部８ａが存在するので、永久磁石５から生起してトラッキングコイル７の有
効辺７ａを貫き、インナヨーク３側へ向かおうとする磁力線の一部は、その板体８のコ字
の端部８ａの方へ向かう。この板体８のコ字の端部８ａの近傍にはトラッキングコイル７
の無効辺７ｂが位置しているので、前記磁力線の一部は、その無効辺７ｂを紙面の下から
上の方に向かって貫くようになる。
【００３１】
その時、その無効辺７ｂを流れる電流は、図に示したように、紙面の手前から背後に向
かっているので、この無効辺７ｂに作用する電磁力（ローレンツ力）は図の右から左へ作
用する。この向きは同じトラッキングコイル７の有効辺７ａに作用している電磁力と同じ
向きである。
【００３２】
このような関係は他の三つのトラッキングコイル７においても同じであり、四つのトラ
ッキングコイル７において、対向する有効辺７ａと無効辺７ｂに作用する力は全て図の右
から左に向かう向きとなる。また、電流の向きを切り換えて逆向きにした場合も、四つの
トラッキングコイル７の対向する有効辺７ａと無効辺７ｂに作用する力は全て図の左から
右に向かう向きとなる。
【００３３】
こうして、この実施形態のアクチュエータでは、永久磁石５から生起される磁力線を有
効に使うことができ、従来は磁力線を作用させていなかった無効辺７ｂにも有効辺７ａと
同じ向きの電磁力を発生させることができるので、トラッキング方向への移動が迅速に行
われ、トラッキング感度が格段に向上する。
【００３４】
なお、この実施形態では、本発明の主眼たる構成であるバックヨーク４からの延設部を
、もともとは別体であるバックヨーク４と断面コ字の板体８とを接着材で接着する形で形
成したが、これらは別体で形成する必要はなく、新たに設計、製作する際には一体化した
形のものを製作してもよい。
【産業上の利用可能性】
【００３５】
この発明のアクチュエータは光ピックアップおよびそれを搭載した光ディスク装置一般
に広く適用できる。
【図面の簡単な説明】
【００３６】
【図１】は、本発明の要旨を示す構成を（ａ）に平面図で、（ｂ）に側面図で模式的に示したものである。
【図２】は、ピックアップの基本構成部品を示す分解斜視図である。
【図３】は、ピックアップの一従来例の組み立てたものを（ａ）に平面図で示し、（ｂ）に側面図で示したものである。
【図４】は、図３に示した一従来例のピックアップの作用を示す図である。
【符号の説明】
【００３７】
３    インナヨーク（チルト用ヨーク）
４    バックヨーク
５    永久磁石
７    トラッキングコイル
７ａ    有効辺
７ｂ    無効辺
８    コ字状の板体（延設部）
【図１】
2006179085.tif 000003
【図２】
2006179085.tif 000004
【図３】
2006179085.tif 000005
【図４】
2006179085.tif 000006